(57)【要約】【課題】安定した使用感が得られる軽量なパネルを、什器に容易に取り付け可能なパネル取付構造およびパネル付什器を提供する。【解決手段】本発明のパネル取付構造は、天板の離間する端部に立設される一対の支持体（３Ｂ）と、前記一対の支持体間に架設される長尺な補強部材（７Ｂ）と、前記一対の支持体に支持され、前記天板の上方の空間を区画するパネル（４Ｂ）と、を備え、前記一対の支持体は、前記一対の支持体同士の対向面に上下方向に沿って形成され、前記支持体の上端部において開口する係止溝が形成されており、前記パネルは、前記一対の補強部が前記一対の支持体の前記係止溝に挿入されて前記一対の支持体に係止され、前記パネルの下端部が前記補強部材に係止されることを特徴とする。【選択図】図１１
2019080897.tif 000002
【特許請求の範囲】
【請求項１】
天板付什器に設けられる天板の離間する端部に立設される一対の支持体と、
前記一対の支持体間に架設される長尺な補強部材と、
前記一対の支持体に支持され、前記天板の上方の空間を区画するパネルと、
を備え、
前記一対の支持体は、
前記一対の支持体同士の対向面に上下方向に沿って形成され、前記支持体の上端部において開口する係止溝が形成されており、
前記パネルは、前記一対の支持体の前記係止溝に挿入されて前記一対の支持体に係止され、前記パネルの下端部が前記補強部材に係止されることを特徴とするパネル取付構造。
【請求項２】
前記補強部材は、長手方向の両端部に前記一対の支持体と係合する一対の係合部を備える請求項１に記載のパネル取付構造。
【請求項３】
前記一対の支持体は、前記係止溝に挿入された前記パネルの上下方向の移動を規制する第一規制部を備え、
前記パネルは、幅方向の端部に前記第一規制部に係止される凹部を備え、
前記係止溝に挿入された前記パネルは前記第一規制部に前記凹部が係止されることにより上下方向の移動が規制されるように構成されている
請求項２に記載のパネル取付構造。
【請求項４】
前記一対の支持体は、
前記補強部材の前記係合部を下方から支持する支持凹部と、
前記補強部材の上方への移動を規制する第二規制部と、を備え、
前記係合部は、前記支持凹部上に配置されて前記一対の支持体と係合し、前記第二規制部に係止されて上方への移動が規制されるように構成されている
請求項２または請求項３に記載のパネル取付構造。
【請求項５】
前記パネルは、
繊維状の基材を含むクッション層と、
前記パネルの少なくとも幅方向両端部の下部に前記クッション層が圧縮硬化された一対の補強部と、を備える
請求項１から請求項４のいずれか一項に記載のパネル取付構造。
【請求項６】
前記パネルは、表面を構成する一対の前記クッション層と、前記クッション層の間に配置され所定の機能を有する機能層とを含む積層体からなる
請求項５に記載のパネル取付構造。
【請求項７】
前記パネルは、前記クッション層の上下端部が圧縮硬化された上下補強部を有する
請求項５または請求項６に記載のパネル取付構造。
【請求項８】
前記一対の支持体の前記係止溝の下端が前記支持体の上下方向中間部に位置し、
前記パネルは、前記一対の支持体に係止された前記パネルの下端が、前記天板の上面から離間するように取り付けられている請求項１から請求項７のいずれか一項に記載のパネル取付構造。
【請求項９】
前記パネルの幅方向の両端部における上下方向の中間部に、前記一対の補強部よりも前記パネルの厚さ方向または幅方向に突出する段部を備え、
前記一対の支持体の上端部に前記段部が当接することにより前記パネルが前記一対の支持体に支持される
請求項５から請求項８のいずれか一項に記載のパネル取付構造。
【請求項１０】
前記天板の上面に配線挿通用開口部が形成され、
前記配線挿通用開口部を開閉可能に覆う配線カバーを備え、
前記一対の支持体は、前記配線挿通用開口部の両端部に設けられている
請求項１から請求項９のいずれか一項に記載のパネル取付構造。
【請求項１１】
天板が設けられた天板付什器に、請求項１から請求項１０のいずれか一項に記載のパネル取付構造を備えるパネルが設けられていることを特徴とするパネル付什器。
【発明の詳細な説明】
【技術分野】
【０００１】
本発明は、パネル取付構造およびパネル付什器に関する。
【背景技術】
【０００２】
一般に、オフィスや公共施設等の執務空間においては、執務者に作業を行うためのスペースを提供するために天板付什器が配設されている。このような執務空間では、天板上の作業スペースと外部空間とを区画し、執務者の視線を遮り、執務者が集中できる環境を提供するため、天板付什器の周縁部付近にパネル体や該パネル体を備えた間仕切り装置が配置される場合がある（例えば、特許文献１、特許文献２参照）。
【０００３】
上述のように天板付什器の周縁部付近に配置されるパネル体としては、例えば剛性を有する平板状の基材の外周面をクロス等の表面材で覆うことによって体裁良く収められたものが多く用いられている。但し、基材が剛性を有する材料から構成されているため、執務者に視覚的、触感的に無機質な印象を与える場合があり、課題となっていた。また、このようなパネル体は重くなるため、搬送、設置作業時の負担となっていた。
【０００４】
上述の問題を鑑み、有機的で温かみがある印象のパネル体を構成するために、例えば、基材の周縁部に枠体を設け、この枠体にもクロス等の表面材を張設することによってパネル体を構成する方法が提案されている（例えば、特許文献３から特許文献５参照）。
【先行技術文献】
【特許文献】
【０００５】
【特許文献１】特許第４０６０９７６号公報
【特許文献２】特許第４２１６３８９号公報
【特許文献３】特許第４１３３３６８号公報
【特許文献４】特許第４０７７３２７号公報
【特許文献５】特許第４１６７１４１号公報
【発明の概要】
【発明が解決しようとする課題】
【０００６】
上述の特許文献１から特許文献５に開示されているパネル体をはじめ、執務空間等の空間を区画するために使用されるパネル体には、例えば、区画された空間間での遮音、防水等のさらなる機能（以下、所定の機能とする）が求められる。
しかしながら、上述のようにクロス等の表面材を用いた場合では、有機的で温かみのある印象を保ちつつ、パネル体に所定の機能を発揮させることは難しかった。
【０００７】
特許文献３から特許文献５に開示されているような軽量のパネル体の場合、パネル体が幅方向に長いと、幅方向の中央部が前後方向に撓みやすい。例えば、パネル体が前後方向に押された場合等、使用時にパネル体の中央部に外力が掛かると撓むことがある。このため、什器の使用時に使用者に安定した使用感を与えられる軽量パネルが求められていた。
【０００８】
本発明は、上述した事情に鑑みてなされたものであって、安定した使用感が得られる軽量なパネルを、什器に容易に取り付け可能なパネル取付構造およびパネル付什器を提供することを目的とする。
【課題を解決するための手段】
【０００９】
本発明に係るパネル取付構造は、天板付什器に設けられる天板の離間する端部に立設される一対の支持体と、前記一対の支持体間に架設される長尺な補強部材と、前記一対の支持体に支持され、前記天板の上方の空間を区画するパネルと、を備え、前記一対の支持体は、前記一対の支持体同士の対向面に上下方向に沿って形成され、前記支持体の上端部において開口する係止溝が形成されており、前記パネルは、前記一対の支持体の前記係止溝に挿入されて前記一対の支持体に係止され、前記パネルの下端部が前記補強部材に係止されることを特徴とする。
【００１０】
このようなパネル取付構造によれば、軽量なパネルが一対の支持体の係止溝に挿入されて支持されるため、パネルを容易に取り付けられる。また、一対の支持体間に架設された補強部材にパネルの下端部が係止されるため、軽量なパネルが前後方向に撓むことを防ぐことができる。この結果、安定した使用感が得られる軽量なパネルを、什器に容易に取り付け可能なパネル取付構造が提供できる。
【００１１】
上記パネル取付構造において、前記補強部材は、長手方向の両端部に前記一対の支持体と係合する一対の係合部を備えてもよい。
【００１２】
このようなパネル取付構造によれば、補強部材の長手方向の両端部に一対の係合部を備えるため、一対の係合部を一対の支持体と係合することにより補強部材を一対の支持体に容易に架設できる。
【００１３】
上記パネル取付構造において、前記一対の支持体は、前記係止溝に挿入された前記パネルの上下方向の移動を規制する第一規制部を備え、前記パネルは、幅方向の端部に前記第一規制部に係止される凹部を備え、前記係止溝に挿入された前記パネルは前記第一規制部に前記凹部が係止されることにより上下方向の移動が規制されるように構成されていてもよい。
【００１４】
このようなパネル取付構造によれば、一対の支持体に第一規制部を備え、パネルに設けられた凹部が第一規制部に係止されることにより、係止溝に挿入されたパネルの上下方向の移動が規制される。したがって、什器使用時にパネルに下方から外力が掛かった場合でも、パネルが上方に移動することが防止され、パネルが安定的に支持される。
【００１５】
上記パネル取付構造において、前記一対の支持体は、前記補強部材の前記係合部を下方から支持する支持凹部と、前記補強部材の上方への移動を規制する第二規制部と、を備え、前記係合部は、前記支持凹部上に配置されて前記一対の支持体と係合し、前記第二規制部に係止されて上方への移動が規制されるように構成されていてもよい。
【００１６】
このようなパネル取付構造によれば、支持凹部により補強部材の係合部を下方から支持するとともに、第二規制部により補強部材の上方への移動が規制されるため、簡易な構成により、支持体の上方から補強部材を配置可能であり、且つ、補強部材の位置が保持される。
【００１７】
上記パネル取付構造において、前記パネルは、繊維状の基材を含むクッション層と、前記パネルの少なくとも幅方向両端部の下部に前記クッション層が圧縮硬化された一対の補強部と、を備えてもよい。
【００１８】
このようなパネル取付構造によれば、パネルにクッション層を備えることにより、基材に起因する有機的で温かみのある印象と充分な強度を有するパネルを用いて天板上の空間を区画することができる。したがって、執務空間において、執務者に威圧感や不快感を与えずに、天板上の作業スペースと外部空間とを区画し、執務者の視線を遮ることができる。また、パネルの軽量化が実現できるため、このようなパネルを一対の支持体の係止溝に挿入する簡易な構成でパネルを天板付什器に取り付けることができる。また、クッション層が圧縮硬化された一対の補強部を、少なくともパネルの幅方向両端部の下部に備える。繊維状の基材からなるクッション層を備えるパネルの端部を補強部で補強できる。また、補強部は、繊維状の基材を含むクッション層の端部を圧縮硬化させて得られる為、クッション層と補強部とが一体で形成できる。
【００１９】
上記パネル取付構造において、前記パネルは、表面を構成する一対の前記クッション層と、前記クッション層の間に配置され所定の機能を有する機能層とを含む積層体からなるものであってもよい。
【００２０】
このようなパネル取付構造によれば、機能層から発揮される所定の機能によりパネルの機能が補強される。また、機能層は一対のクッション層の間に配置されているため、外観上は有機的で温かみのある印象を与えつつ、高機能なパネルを設けることができる。
【００２１】
上記パネル取付構造では、前記パネルは、前記クッション層の上下端部が圧縮硬化された上下補強部を有してもよい。
【００２２】
このようなパネル取付構造によれば、クッション層の上下端部に上下補強部を有することにより、パネルにおける一対の支持体間の部分の強度が補強され、パネルの強度をより高めることができる。
【００２３】
上記パネル取付構造において、前記パネルの下端部に、前記パネルの幅方向に沿って取り付けられる長尺な補強部材を備えてもよい。
【００２４】
このようなパネル取付構造によれば、パネルの下端部に、パネルの幅方向に沿って取り付けられる長尺な補強部材を備えることにより、パネルの強度をより高めることができる。
【００２５】
本発明に係るパネル取付構造において、前記補強部材は、前記パネルの下端部の全長にわたって設けられ、前記補強部材は、長手方向の両端部に前記一対の支持体の前記係止溝と係合する一対の係合部を備え、前記一対の係合部が前記係止溝に係合されて前記パネルが前記一対の支持体に支持されてもよい。
【００２６】
このようなパネル取付構造によれば、補強部材の長手方向の両端部が一対の支持体の溝に係合することにより、一対の支持体に支持される。つまり、パネルは、補強部材を介して一対の支持体に支持される。したがって、簡易な構成ながら、パネルが一対の支持体に安定支持される。また、パネルの幅方向中央部の強度が補強される。その結果、使用時のパネルの湾曲等を防ぐことができる。
【００２７】
上記パネル取付構造において、前記一対の支持体の前記係止溝の下端が前記支持体の上下方向中間部に位置し、前記パネルは、前記一対の支持体に係止された前記パネルの下端が、前記天板の上面から離間するように取り付けられてもよい。
【００２８】
このようなパネル取付構造によれば、パネルの下端と天板の上面との間に隙間が形成された状態で天板上にパネルが取り付けられる。その結果、什器の天板上や周囲で使用される電子機器や電化製品の配線等を通す空間を確保できる。また、パネルの下端と天板の上面との間に隙間が形成されているので、パネルが間仕切りとして機能しながら、執務者に閉塞感を与えることがない。
【００２９】
上記パネル取付構造は、前記補強部における前記支持体の前記係止溝に挿入される部分に、前記パネルの幅方向に窪む凹部が形成され、前記補強部が前記係止溝に挿入された状態で、前記支持体の外方から前記係止溝内に凸状部材が挿通されて前記パネルの上方向への移動を規制するように構成されていてもよい。
【００３０】
このようなパネル取付構造によれば、一対の支持体の上方からパネルを係止溝に挿入してパネルが支持体で支持された後に、凹部に凸状部材が配置されることにより、パネルの上方向への移動が規制される。したがって、什器使用時にパネルに下方から外力が掛かった場合でも、パネルが上方に移動することが防止され、パネルが安定的に支持される。
【００３１】
上記パネル取付構造は、前記パネルの幅方向の両端部における上下方向の中間部に、前記一対の補強部よりも前記パネルの厚さ方向または幅方向に突出する段部を備え、前記一対の支持体の上端部に前記段部が当接することにより前記パネルが前記一対の支持体に支持されていてもよい。
【００３２】
このようなパネル取付構造によれば、一対の支持体の上端部に、一対の補強部よりもパネルの厚さ方向または幅方向に突出する段部が当接することにより、パネルが一対の支持体に支持されているため、支持体の係止溝内に配置されたパネルが安定支持される。
【００３３】
上記パネル取付構造は、前記天板の上面に配線挿通用開口部が形成され、前記配線挿通用開口部を開閉可能に覆う配線カバーを備え、前記一対の支持体は、前記配線挿通用開口部の両端部に設けられていてもよい。
【００３４】
このようなパネル取付構造によれば、一対の支持体が配線挿通用開口部の両端部に設けられているので、簡易且つ省スペースを図ることができるパネルが、配線挿通用開口部の上方に配設される。この結果、パネルが配線カバーの開閉動作を妨げることを防ぎ、配線カバーの開閉操作や、天板周辺における配線作業を容易に行うことができる。
【００３５】
本発明に係るパネル付什器は、天板が設けられた天板付什器に、上記パネル取付構造を備えるパネルが設けられていることを特徴とする。
【００３６】
このようなパネル付什器によれば、基材に起因する有機的で温かみのある印象と充分な強度を有するパネルを用いて天板上の空間を区画することができる。したがって、執務空間において、執務者に威圧感や不快感を与えずに、天板上の作業スペースと外部空間とを区画し、執務者の視線を遮ることができる。また、パネルの軽量化が実現できるため、このようなパネルを一対の支持体の係止溝に挿入する簡易な構成でパネルを天板付什器に取り付けることができる。
【発明の効果】
【００３７】
上記パネル取付構造およびパネル付什器によれば、安定した使用感が得られる軽量なパネルを、什器に容易に取り付け可能である。
【図面の簡単な説明】
【００３８】
【図１】本発明の第一実施形態に係るパネル付什器を示す斜視図である。
【図２】本発明の第一実施形態に係るパネル付什器のパネルの取付構造を示す分解斜視図である。
【図３】本発明の第一実施形態に係るパネル付什器の一部を示す平面図である。
【図４】本発明の第一実施形態のパネルの水平方向の断面図である。
【図５】本発明の第一実施形態の支持体を示す斜視図である。
【図６】本発明の第一実施形態の支持体を図５に示す矢印ＶＩ方向から見た側面図である。
【図７】本発明の第一実施形態のパネルの下端と天板の上面との間の領域を示す断面図である。
【図８】本発明の第二実施形態に係るパネル付什器の一部を示す斜視図である。
【図９】本発明の第二実施形態のパネル及び補強部材の一部を示す斜視図である。
【図１０】本発明の第二実施形態に係るパネル付什器のパネル取付構造の一部を示す斜視図である。
【図１１】本発明の第三実施形態に係るパネル付什器の一部を示す側面図である。
【図１２】本発明の第三実施形態に係るパネル取付構造を示す分解斜視図である。
【図１３】本発明の第三実施形態に係るパネル取付構造を示す側面図である。
【図１４】本発明の第三実施形態の規制部材の上面図である。
【発明を実施するための形態】
【００３９】
［第一実施形態］
以下、本発明の第一実施形態に係るパネル取付構造及びパネル取付構造を用いたパネル付什器について、図面を参照して説明する。
図１は、本実施形態に係るパネル付什器を示す斜視図である。図２は、本実施形態に係るパネル付什器のパネルの取付構造を示す分解斜視図である。図３は、本実施形態に係るパネル付什器の一部を示す平面図である。本実施形態では、パネル付什器１がパネル付デスク装置である例を示す。
【００４０】
図１に示すように、パネル付什器１は、天板２０を有するデスク装置（天板付什器）２と、一対の支持体３と、パネル４と、を備えている。以下の説明において、デスク装置２を利用する執務者が天板２０と向き合ったときの横方向（幅方向）を左右方向と称する。デスク装置２が設置される床面Ｆに直交する方向を上下方向と適宜称する。また、上記左右方向及び上下方向と直交する方向を前後方向と称し、執務者側を前側、反対側を後側と称する。
【００４１】
パネル付什器１では、一対の支持体３，３がデスク装置２の天板２０の後側の端部に離間して立設され、一対の支持体３，３の間にパネル４が挟まれて支持されている。
【００４２】
デスク装置２は、左右方向に間隔を空けてそれぞれ床面Ｆ（載置面）上に設置された第１支持脚１３０および第２支持脚１３１を備え、第１支持脚１３０および第２支持脚１３１に天板２０が支持されている。第２支持脚１３１には、前面側に開口する空間部（不図示）が形成されており、空間部内に抽斗１３２が収容されている。抽斗１３２は、前方に引き出し可能に設けられている。なお、抽斗１３２は必須の構成ではない。
【００４３】
天板２０は、平面視長方形を有する板状体であり、天板２０の上面２１が作業面となる。天板２０の上面２１の後側の角部に支持体３，３を取り付ける支持体固定部５２，５２が設けられている。支持体固定部５２，５２よりも左右方向内側に、左右方向に細長い形状を有する配線挿通用開口部２４（図７参照）が形成されている。配線挿通用開口部２４の上部は配線カバー２３で覆われている。
【００４４】
配線カバー２３は、左右の側面と、支持体固定部５２，５２の左右方向内側の側面との間に回動軸６（図７参照）と回動軸支持部とが設けられ、配線カバー２３の後端側の両端部が支持体固定部５２，５２に回動可能に支持されている。このため、配線カバー２３は、後端側が軸支されて、前端側が回動して、配線挿通用開口部を開閉可能に構成されている。なお、回動軸６が配線カバー２３に設けられ、回動軸支持部が支持体固定部５２，５２に設けられる構成であっても、回動軸支持部が配線カバー２３に設けられ、回動軸６が支持体固定部５２，５２に設けられる構成であってもよい。
配線挿通用開口部の下方には不図示の配線受けトレー等が設けられている。
【００４５】
図５は、支持体３を示す斜視図である。図６は、支持体３を図５に示す矢印ＶＩ方向から見た側面図である。
支持体３は、支持体固定部５２と、支柱部５３とを有し、支持体固定部５２の下面側に取り付けられた、固定部５１を介して配線挿通用開口部内でデスク装置２に固定されている。
【００４６】
支持体固定部５２は、外形が略直方体形状の部材である。支柱部５３は、支持体固定部５２の上面５２ａに立設されている。支柱部５３は、支持体固定部５２と一体に形成されている。
【００４７】
支柱部５３は、下部において、支持体固定部５２側から上方に向かうにつれて前後方向の寸法が小さくなる傾斜部５３１を有する。傾斜部５３１の上端よりも上側の上支柱部５３２は上方向に延びる直方体形状に形成されている。
【００４８】
上支柱部５３２の左右方向内側の側面、すなわち、一対の支持体３，３が対向する対向面５３３には、上下方向に沿って係止溝５４が形成されている。本実施形態では、上支柱部５３２は、水平断面がＵ字型を有する。係止溝５４は、上支柱部５３２の上端部５３４（支持部の上端部）において開口している。
【００４９】
図２に示すように、係止溝５４には、上支柱部５３２と傾斜部５３１との境界部近傍に、水平面からなる溝下端面５４１が形成されている。したがって、溝下端面５４１が係止溝５４の下端となる。
【００５０】
固定部５１は、支持体固定部５２の下面にねじ９０等の固定手段により固定されている。固定部５１は、一体に形成された部材であり、互いに平行に配置される支持体固定面部５１１及び什器固定面部５１３と、支持体固定面部５１１と什器固定面部５１３とを接続する中間部５１２とを備える。中間部５１２は、支持体固定面部５１１及び什器固定面部５１３に対して直交して上下方向に延びて形成され、左右方向に貫通する横ねじ孔５１４が形成されている。支持体固定面部５１１と什器固定面部５１３とは対向しておらず、中間部５１２が支持体固定面部５１１の内側端部から曲折して下方に延設され、中間部５１２の下端部が内側方向に曲折して什器固定面部５１３が左右方向内側に延びて形成されている。
【００５１】
支持体固定面部５１１は、支持体固定部５２の下面に固定される部分である。支持体固定面部５１１は、左右方向における外側の部分が内側の部分より前後方向の寸法が小さくなるように、段部５１５が形成されている。図５に示すように、支持体固定部５２の下面には、支持体固定面部５１１の形状に沿った係合溝５２１と当接段部５２２とが形成されている。支持体固定面部５１１は、外側の部分が支持体固定部５２の係合溝５２１に挿入され、段部５１５が当接段部５２２に当接して係合し、この状態でねじ９０，９０により支持体固定部５２に固定されている。什器固定面部５１３には、上下方向に貫通する２つのねじ孔５１６，５１６が形成されている。
【００５２】
図４は、パネルの水平方向の断面図である。パネル４は、一対のクッション層１０Ａ，１０Ｂと接着剤層１１（機能層）とを含む積層体によって構成されている。
【００５３】
一対のクッション層１０Ａ，１０Ｂは、パネル４の前後方向（厚さ方向）の両側の表面を構成する。一対のクッション層１０Ａ，１０Ｂの間に機能層１１が設けられている。各クッション層１０Ａ，１０Ｂのうち機能層１１に接する面と反対側の表面１３Ａ，１３Ｂは、パネル４の表面を構成する。
【００５４】
各クッション層１０Ａ，１０Ｂは多孔質状の繊維状部材からなる柔軟な板状であれば材質は特に限定されない。例えば、各クッション層１０Ａ，１０Ｂの材質は、パネル４の表面１３Ａ，１３Ｂのデザインや質感等を考慮して選択されてよい。例えば、各クッション層１０Ａ，１０Ｂは、ポリエステル繊維が互いに絡み合った状態で多孔質状の形状とされた不織布によって形成されている。この他、クッション層１０Ａ，１０Ｂはスポンジ等の多孔質体で形成されていてもよい。
【００５５】
機能層１１は、一対のクッション層１０Ａ，１０Ｂの間に配置され、所定の機能を有する。機能層１１が有する所定の機能は、執務空間等の空間を区画するために使用されるパネル４に求められる機能であれば特に限定されない。機能層１１の所定の機能の一例としては、遮音機能や防水機能、吸湿機能、帯磁性機能、抗菌機能、消臭機能、防炎機能、難燃機能、帯電防止機能、衝撃吸収機能等が挙げられる。機能層１１の厚みは、所定の機能が良好に得られるように、機能層１１の材料の種類等を勘案して適切に設定されている。
【００５６】
機能層１１と各クッション層１０Ａ，１０Ｂとの間は、熱可塑性樹脂を含む不織布からなる薄い接着剤シート（不図示）により接着されている。
パネル４を構成する積層体は、機能層１１の両面に接着層を介して一対のクッション層１０Ａ，１０Ｂが積層された状態で、熱処理やプレス加工が施されて、各層が溶着されている。
【００５７】
図２及び図４に示すように、パネル４の周縁部には、補強部４０が設けられている。補強部４０は、例えば、熱間プレス等により、圧縮硬化されてパネル４の他の部位よりも厚さが薄く、且つ硬度が高くなるように構成されている。
【００５８】
図２に示すように、本実施形態では、パネル４の上下及び左右の周縁部にそれぞれ補強部４０が設けられている。具体的には、パネル４の左右端部に上下方向に沿って設けられた第１補強部４１，４１と、下端部に水平方向に沿って設けられた第２補強部４２（上下補強部）と、上端部に水平方向に沿って設けられた第３補強部４３（上下補強部）とが設けられている。
【００５９】
第１補強部４１，４１には、パネル４の上下方向の略中間部に段部４４，４７が設けられている。段部４４，４７は、第１段部４４と第２段部４７とを有する。第１段部４４と第２段部４７とは、上下方向の高さが等しい位置に形成されている。
【００６０】
第１段部４４は、第１補強部４１，４１の前後面に水平方向に延びて形成されている。第１補強部４１，４１は、第１段部４４よりも上方が下方よりも厚さが厚くなるように形成されている。第１補強部４１，４１のうち、各段部４４，４７よりも下方を下側第１補強部４５，４５と称し、各段部４４，４７よりも上方側を上側第１補強部４６，４６と称する。パネル４の上端部側の第３補強部４３と上側第１補強部４６，４６とは厚さが等しい。パネル４の下端部側の第２補強部４２と下側第１補強部４５，４５とは厚さが等しい。
【００６１】
第２段部４７，４７は、左右方向の側面が外側に突出するように形成されている。具体的には、第２段部４７，４７は、下側第１補強部４５，４５の左右方向の側面より上側第１補強部４６，４６の方が外側に張り出すように突出して段部が形成されている。
【００６２】
パネル４の下端から第１段部４４及び第２段部４７までの上下方向の長さは、支持体３，３の係止溝の溝下端面５４１（下端）から支持体３，３の上端までの長さに略等しい。
【００６３】
この他、パネル４の中央部に位置し、補強部４０で囲まれた肉厚部１４には、肉厚部１４の強度を保持するためのリブ１５が設けられている。リブ１５は、前後方向（厚さ方向）に突出し、水平方向に延びるリブ１５が設けられている。リブ１５の形成位置は適宜設定可能である。また、本発明において、リブ１５は必須の構成ではない。
【００６４】
パネル４は、上記構成を備えることにより、有機的で温かみのある印象を与えつつ、所定の機能を発揮し、且つ、軽量なパネルとなる。
【００６５】
次に、パネル取付構造について説明する。デスク装置２の天板２０の後側の左右方向の各角部に支持体３，３を固定する。固定部５１は、デスク装置２に設けられた不図示の固定部に当接されて不図示のねじが什器固定面部５１３のねじ孔５１６，５１６及び中間部５１２の横ねじ孔５１４に挿通されて、配線挿通用開口部２４の下方位置においてデスク装置２に固定される。
【００６６】
一対の支持体３，３は、互いの係止溝５４,５４が対向するように配置されている。パネル４を支持体３，３の上端部５３４より上方に配置して下側に移動させ、パネル４の左右端部の第１補強部４１，４１を各係止溝５４，５４に挿入する。第１補強部４１，４１の下端が溝下端面５４１に当接するまで挿入されると、パネル４は支持体３，３に安定的に支持され、パネル４の設置作業が終了する。
【００６７】
上述の通り、パネル４が軽量であるため、第１補強部４１，４１が係止溝５４，５４に挿通されて溝下端面５４１，５４１に当接することにより、パネル４が一対の支持体３，３で支持可能である。これに対し、重量が重い従来のパネルの場合、本実施形態のパネルの支持構造のように、パネルの端部を係止溝に挿入するだけでは、パネルが前後方向に移動することがあり安定支持できない。そのため、従来のパネルをデスク装置に設ける場合、パネルの周縁部を支持する枠体を設け、デスク装置に固定する等の支持構造を採用していた。しかし、本実施形態に係るパネルの支持構造では、簡易な構成によりパネルを一対の支持体３，３で固定できる。
【００６８】
さらに、第１段部４４及び第２段部４７が支持体３，３の上端部５３４，５３４に当接する。係止溝５４，５４に第１補強部４１，４１を円滑に挿入するため、第１補強部４１，４１の前後方向の厚さは、係止溝５４，５４の前後方向の寸法よりもやや小さい。そのため、第１補強部４１，４１が係止溝５４，５４に挿入された状態で、段部４４，４７が上端部５３４，５３４に当接すると、摩擦力によりパネル４の前後方向の僅かな移動を防ぐことができる。この結果、パネル４は一対の支持体３，３に、より安定して支持される。
【００６９】
また、図１に示すように、パネル４が支持体３，３に支持された状態で、パネル４の下端部と天板２０の上面２１との間は離間して隙間が形成されている。この隙間に配線等を挿通することが可能である。また、図７に、本実施形態のパネルの下端と天板の上面との間の領域の断面図を示す。図７に示すように、配線挿通用開口部２４を開けるために配線カバー２３が水平位置から９０度以上回動されたとき、配線カバー２３の前側端部の上面２３１がパネル４の第２補強部４２の前面４２１に当接する。この結果、配線カバー２３はパネル４の第２補強部４２に支持され、執務者等が配線カバー２３から手を離しても、配線カバー２３が自重により配線挿通用開口部２４を塞ぐ方向へ回動することがなく、配線挿通用開口部２４が開放された状態を保持することができる。この結果、配線カバー２３を手で押さえることなく、電源コード等のケーブルを、配線挿通用開口部２４を介して天板２０の上側と下側とに配線することができる。
【００７０】
図７に示すように、パネル４の肉厚部１４の下端と天板２０の上面２１との距離Ｌ１は、配線カバー２３が水平位置から９０度以上回動されて配線挿通用開口部２４が開放されたときの配線カバー２３の上端と天板の上面２１との距離Ｌ２よりも大きくなるように、支持体３，３の高さが設定されている。例えば、距離Ｌ１は１００ｍｍであり、距離Ｌ２は８０ｍｍである。
【００７１】
本実施形態に係るパネル取付構造によれば、基材に起因する有機的で温かみのある印象と充分な強度を有するパネル４を用いて天板２０上の空間を区画することができる。したがって、執務空間において、執務者に威圧感や不快感を与えずに、天板２０上の作業スペースと外部空間とを区画し、執務者の視線を遮ることができる。また、パネル４の軽量化が実現できるため、このようなパネル４を一対の支持体３，３の係止溝５４，５４に挿入する簡易な構成でパネル４をデスク装置２に取り付けることができる。
【００７２】
本実施形態に係るパネル取付構造によれば、パネル４は、クッション層１０Ａ，１０Ｂと機能層１１との積層体からなるため、機能層１１が備える所定の機能によりパネル４の機能が補強される。また、機能層１１は一対のクッション層１０Ａ，１０Ｂの間に配置されているため、外観上は有機的で温かみのある印象を与えつつ、高機能なパネル４を設けることができる。
【００７３】
本実施形態に係るパネル取付構造によれば、積層体のクッション層１０Ａ，１０Ｂの上下端部に第２補強部４２及び第３補強部４３を有することにより、パネル４における一対の支持体３，３間の領域の強度が補強され、パネル４全体の強度をより高めることができる。
【００７４】
本実施形態に係るパネル取付構造によれば、パネル４の下端と天板２０の上面２１との間に隙間が形成された状態で天板２０上にパネル４が取り付けられる。その結果、デスク装置２の天板２０上やその周囲で使用される電子機器、電化製品のケーブル等を通す空間を確保できる。また、パネル４の下端と天板２０の上面２１との間に隙間が形成されているので、パネル４が間仕切りとして機能しながら、執務者に閉塞感を与えることがない。
【００７５】
本実施形態に係るパネル取付構造によれば、段部４４，４７が一対の支持体３，３の上端部５３４，５３４に当接することにより、パネル４が一対の支持体３，３に支持されるので、パネル４の左右方向両端部の第１補強部４１，４１を一対の支持体３，３の係止溝５４，５４に挿入するという簡単な作業によりパネル４を一対の支持体３，３に支持させることができる。また、第１補強部４１，４１が係止溝５４，５４に容易に挿入されるように、第１補強部４１，４１と係止溝５４，５４との間に隙間がある場合でも、段部４４，４７が支持体３，３の上端部５３４，５３４に当接することにより、パネル４が係止溝５４，５４内に配置された後に、パネル４が支持体３，３に対して動くことを防ぎ、パネル４を安定支持することができる。
【００７６】
本実施形態に係るパネル取付構造によれば、一対の支持体３，３が配線挿通用開口部２４の両端部に設けられているので、簡易且つ省スペースを図ることができるパネル４が、配線挿通用開口部２４の上方に配設される。この結果、パネル４が配線カバー２３の開閉動作を妨げることを防ぎ、配線カバー２３の開閉操作や、天板２０周辺における配線作業を容易に行うことができる。
【００７７】
本実施形態に係るパネル付什器１によれば、基材に起因する有機的で温かみのある印象と充分な強度を有するパネル４を用いて天板２０上の空間を区画することができる。したがって、執務空間において、執務者に威圧感や不快感を与えずに、天板２０上の作業スペースと外部空間とを区画し、執務者の視線を遮ることができる。また、パネル４の軽量化が実現できるため、このようなパネル４を一対の支持体３，３の係止溝５４，５４に挿入する簡易な構成でパネル４がデスク装置２に取り付けられる。
【００７８】
上記実施形態では、パネル４の第１補強部４１に第１段部４４及び第２段部４７を備える例を示したが、段部４４，４７のいずれか一方を備えれば、支持体３，３によるパネル４の支持を補強できる。また、段部４４，４７は必須の構成ではなく、段部４４，４７を備えなくてもよい。
【００７９】
上記実施形態では、支持体３，３に水平面からなる溝下端面を備える例を示したが、係止溝５４の下端の構成はこれに限定されない。例えば、係止溝５４の下端部の内周面の少なくとも一部が係止溝５４の内側に突出して溝の開口寸法を小さくする構成であってもよい。また、溝下端面５４１を設けず、支持体３，３の上端部５３４，５３４と段部４４，４７とが当接することにより、パネル４が一対の支持体３，３に支持される構成であってもよい。
【００８０】
上記実施形態では、パネル４の下端と天板２０の上面２１との間に隙間が形成された状態で天板２０上にパネル４が取り付けられる例を示したが、このような隙間を設けずに、パネル４の下端が天板２０の上面２１の上方に近接配置される構成であってもよい。
【００８１】
［第二実施形態］
次に、図８から図１０を参照して第二実施形態に係るパネル付什器１Ａを説明する。図８は、本実施形態に係るパネル付什器１Ａの一部を示す斜視図である。図９は、本実施形態のパネル４Ａ及び補強部材７の一部を示す斜視図である。図１０は、本実施形態に係るパネル付什器のパネル取付構造の一部を示す斜視図であり、パネル４Ａの記載を省略している。上記実施形態と共通する構成については図中に同符号を付してその説明を省略する。
【００８２】
本実施形態のパネル付什器１Ａは、パネル４Ａ及び一対の支持体３Ａ，３Ａが第一実施形態と異なる。また、本実施形態では、２台のデスク装置２，２の後側の端部同士を隣接配置して、その間にパネル４Ａを配置する例を示す。
【００８３】
支持体３Ａ，３Ａは、第一実施形態の傾斜部５３１を有さず、支柱部５３Ａが略直方体形状の長尺な部材である。支柱部５３Ａは、上下方向に延びるように立設され、支持体固定部５２Ａに固定されている。支持体固定部５２Ａは、２つのデスク装置２，２の後側端部間に跨って配置されて固定されている。支柱部５３Ａ，５３Ａは、支持体固定部５２Ａの前後方向の中間部に設けられており、２つのデスク装置２，２の後側端部上に位置する。
【００８４】
支持体３Ａ，３Ａ同士の対向面には係止溝５４Ａ，５４Ａが長手方向に沿って全長にわたって形成されている。つまり、支柱部５３Ａ，５３Ａは水平断面がＵ字型の長尺部材である。図８及び図１０に示すように、支柱部５３Ａ，５３Ａの左右方向に延びる２面の下部に下支持部３５が形成されている。下支持部３５は、支柱部５３Ａの前後方向に押し込まれるハーフパンチ加工が施されて形成されている。下支持部３５は、支柱部５３Ａの左右方向に平行に延びる２面の下部側の係止溝５４Ａ，５４Ａの内周面に、互いに対向する位置で突出している。
【００８５】
パネル４Ａは、第２補強部４２に補強部材７が取付けられている。図９に示すように、補強部材７は、垂直断面が略Ｕ字型の長尺な部材であり、上側に向かって開口する溝７１が長手方向に全長にわたって形成されている。補強部材７は、肉厚部１４の左右方向の長さに略等しい部材である。補強部材７は、第２補強部４２よりも剛性が高い部材からなる。本実施形態では、補強部材７は、スチール等の剛性を有する金属製の部材が採用されている。補強部材７は、第２補強部４２の前後面を挟むように溝７１に第２補強部４２が圧入され、溝７１と第２補強部４２との摩擦力により固定されている。第２補強部４２と補強部材７の溝７１との間は接着剤により固定される構成であってもよい。
【００８６】
補強部材７の左右端部には、一対の係合部８，８が設けられている。係合部８，８は、補強部材７の左右端部の溝７１内に一部が溶接により固定され、補強部材７の左右端部から左右方向の外側に突出するように設けられている。係合部８の補強部材７から露出している部分の下部に、下面が上方に向かって湾曲するように円弧状に切り欠いて形成され、前後方向に貫通する係止部８１が形成されている。係合部８の上面８２は水平面となっている。
【００８７】
パネル４Ａは、下側第１補強部４５に、パネル４Ａの左右方向（幅方向）に窪む凹部９が形成されている。凹部９は、パネル４Ａの左右方向の外側面４９から左右方向に円弧状に切り欠いて形成されている。
【００８８】
パネル４Ａの第２補強部４２の左右方向の両側の下端部には、係合部８，８に当接する切欠部４８が形成されている。切欠部４８は、第２補強部４２の左右方向の両側の下端部が矩形に切り欠いて形成されている。
【００８９】
図８に示すように、補強部材７がパネル４Ａに取り付けられた状態で、各係合部８の左右方向の外側側面８３は、パネル４Ａの左右方向の外側面４９と面一となる。また、パネル４Ａの切欠部４８には、係合部８の上面８２及び左右方向の内側の側面８４（図９参照）が当接している。
【００９０】
パネル４Ａが一対の支持体３Ａ,３Ａの上方から係止溝５４Ａ，５４Ａ内に挿入され、下方に押し込まれると、係合部８の係止部８１が、係止溝５４Ａ，５４Ａ内で下支持部３５，３５に当接し、パネル４Ａの自重により係止部８１が下支持部３５，３５に係止される。そのため、本実施形態では、下支持部３５，３５が係止溝５４Ａの下端部となる。
【００９１】
さらに、図８に示すように、本実施形態では、支持体３Ａの外側面５５の下部にねじ孔５６が形成されている。ねじ孔５６は、パネル４Ａが係止溝５４Ａ，５４Ａ内に挿入されて下支持部３５，３５に支持されている状態で、パネル４Ａの凹部９，９に対応する位置に形成されている。パネル４Ａが係止溝５４Ａ，５４Ａ内に挿入された後、支持体３Ａの外側面５５のねじ孔５６に止めねじ９１（凸状部材）が螺合され、止めねじ９１が支持体３Ａの外方から凹部９内に進入する。この結果、パネル４Ａは止めねじ９１によって支持体３Ａの上方向への移動が規制される。したがって、パネル付什器１Ａの使用時に、パネル４Ａに下方からの力が作用しても、パネル４Ａが支持体３Ａ，３Ａの上方に移動することがなく、パネル４Ａが支持体３Ａ，３Ａに安定支持される。
【００９２】
このようなパネル取付構造であっても第一実施形態と同様にパネル４Ａを一対の支持体３Ａ，３Ａの係止溝５４Ａ，５４Ａに挿入する簡易な構成でパネル４Ａをデスク装置２に取り付けることができる。
【００９３】
本実施形態のパネル取付構造によれば、補強部材７がパネル４Ａの下端部に設けられることにより、パネル４の強度を高めることができる。
【００９４】
本実施形態に係るパネル取付構造によれば、パネル４Ａの下端部に、パネル４Ａの左右方向（幅方向）に沿って取り付けられる長尺な補強部材７を備えることにより、パネル４Ａの強度をより高めることができる。この結果、軽量なパネル４Ａが前後方向に撓むことを防ぐことができる。この結果、安定した使用感が得られる軽量なパネル４Ａを、天板２０上に容易に取り付け可能なパネル取付構造が提供できる。
【００９５】
本実施形態に係るパネル取付構造によれば、補強部材７の長手方向の両端部に係止部８１を備え、係止部８１が一対の支持体３Ａ，３Ａの下支持部３５に係合することにより、一対の支持体３Ａ，３Ａに支持される。つまり、パネル４Ａは、補強部材７を介して一対の支持体３Ａ，３Ａに支持される。したがって、簡易な構成ながら、パネル４Ａが一対の支持体３Ａ，３Ａに安定支持される。また、パネル４Ａの左右方向の中央部の強度が補強される。その結果、使用時のパネル４Ａの湾曲等を防ぐことができる。
【００９６】
本実施形態に係るパネル取付構造によれば、一対の支持体３Ａ，３Ａの上方からパネル４Ａを係止溝５４Ａ，５４Ａに挿入してパネル４Ａが支持体３Ａ，３Ａで支持された後に、凹部９に止めねじ９１が配置されることにより、パネル４Ａの上方向への移動が規制される。したがって、パネル付什器の使用時にパネル４Ａに下方から外力が掛かった場合でも、パネル４Ａが上方に移動することが防止され、パネル４Ａが安定的に支持される。
【００９７】
本実施形態では、下支持部３５が支持体３Ａの左右方向に延びる２面に設けられる例を示したが、下支持部３５は係止溝の内周面から突出して設けられる構成であればよく、下支持部が前後方向に延びる面に設けられてもよい。また、下支持部３５をハーフパンチ加工により形成する例を示したが、下支持部３５の構成はこれに限定されず、係止溝の内周面に突起が形成されればよい。また、第一実施形態の下支持面２５のように、係止溝５４Ａに下支持面が形成され、下支持面上に係止部８１を載置して係止させる構成であってもよい。
【００９８】
本実施形態では、止めねじ９１用のねじ孔５６を支持体３Ａ，３Ａの外側面５５に形成する例を示したが、パネル４Ａの上下方向の移動を規制する目的においては、ねじ孔５６が支持体３Ａの左右方向に延びる面に設けられてもよい。但し、止めねじ９１用のねじ孔５６を支持体３Ａ，３Ａの外側面５５に形成した方が止めねじ９１が執務者の目につき難く、外観上は支持体３Ａ，３Ａの外側面５５に形成することが好ましい。
【００９９】
本実施形態では、補強部材７に係止部８１を設ける例を示したが、補強部材７のみをパネルに取り付ける構成であってもよい。例えば、第一実施形態のパネル４の第３補強部４３に補強部材７のみを取り付ける構成とすると、パネル４の強度が補強される。
【０１００】
［第三実施形態］
次に、図１１から図１４を参照して第三実施形態に係るパネル付什器１Ｂを説明する。図１１は、本実施形態に係るパネル付什器１Ｂを示す正面図である。図１２は、本実施形態のパネル付什器１Ｂのパネルの取付構造を示す分解斜視図である。図１３は、本実施形態に係るパネル付什器１Ｂのパネル取付構造を示す正面図である。図１４は、本実施形態の規制部材の上面図である。上記実施形態と共通する構成については図中に同符号を付してその説明を省略する。本実施形態のパネル付什器１Ｂは、一対の支持体３Ｂ，３Ｂ及びパネル４Ｂが上記実施形態と異なる。
【０１０１】
支持体３Ｂは、スチール等の剛性を有する金属製の部材である。図１１及び図１２に示すように、一対の支持体３Ｂ，３Ｂは、什器固定面部５１３Ｂ（図１２参照）と、傾斜部５３１Ｂと、支柱部５３Ｂと、支持凹部３５Ｂと、規制部材３０と、を備える。
【０１０２】
図１２に示すように、什器固定面部５１３Ｂは、平板形状を有し、支持体３Ｂの下端部に設けられている。什器固定面部５１３には、上下方向に貫通する２つのねじ孔５１６Ｂ，５１６Ｂが形成されている。什器固定面部５１３Ｂは支持体固定部５２（図１参照）に固定される。
傾斜部５３１Ｂは、什器固定面部５１３Ｂの一端部から上方に延びる平板状部材であり、上部が前後方向に傾斜している。
【０１０３】
支柱部５３Ｂは、略直方体形状の長尺な部材であり、パネル４Ｂを支持する部材である。支柱部５３Ｂは、上下方向に延びるように立設され、傾斜部５３１Ｂの上端に固定されている。支持体３Ｂ，３Ｂ同士の対向面には係止溝５４Ｂ，５４Ｂが長手方向に沿って全長にわたって形成されている。支柱部５３Ｂ，５３Ｂは水平断面がＵ字型の長尺部材である。支柱部５３Ｂ，５３ＢのＵ字型の凹部が係止溝５４Ｂ，５４Ｂであり、長手方向に沿って全長にわたって形成されている。支柱部５３Ｂ，５３Ｂは、天板２０の縁端部に離間配置された支柱部５３Ｂ，５３Ｂ同士の対向面に係止溝５４Ｂ，５４Ｂが設けられるように配設されている。
【０１０４】
一対の延出部５７，５７は、支柱部５３Ｂの下端部から左右方向の内側に向かって延出して形成されている。延出部５７は、水平断面が略Ｕ字型の支柱部５３Ｂの前後に並んで平行に延びる２面がそれぞれ同じ形状を有する。一対の延出部５７，５７には、支持凹部３５Ｂ，３５Ｂが形成されている。支持凹部３５Ｂ，３５Ｂは、上方に向かって開口し、前後方向から見たときの形状が略矩形の切欠きである。支持凹部３５Ｂと支柱部５３Ｂとの間には、前後方向に貫通する係合孔５７３，５７３が形成されている。各延出部５７の上端部５７２及び下端部５７１は、傾斜部５３１Ｂとの接続部に向かってそれぞれ湾曲形状を有する。
【０１０５】
図１２に示すように、支持体３Ｂには、規制部材３０を備える。規制部材３０は樹脂製の一体成型部材である。規制部材３０は、一対の延出部５７，５７の間に挿入可能な大きさを有し、支持体３Ｂに係合される部材である。規制部材３０は、規制部本体３０３と、縦壁部３０４と、第一規制部３０１と、第二規制部３０２と、下係止部３０６と、リブ３０５と、係合突起３０７とを備える。
【０１０６】
規制部本体３０３は、略直方体形状であり、左右方向の内側の端部に第二規制部３０２が設けられている。第二規制部３０２は、規制部本体３０３の左右方向の内側の上端部から下垂する爪である。第二規制部３０２は、外力が掛かると左右方向に撓むように構成されている。
【０１０７】
図１２及び図１４に示すように、規制部本体３０３の前後方向の側面には、それぞれ係合突起３０７，３０７が形成されている。図１４に示すように、各係合突起３０７は、左右方向の外側（図１４における右側）より内側（図１４における左側）の方が前後方向への突出量が多くなるように傾斜している。
【０１０８】
規制部本体３０３の下端部には、前後方向に突出するリブ３０５が形成されている。下係止部３０６は、リブ３０５の左右方向の外側端部から斜め下方に延出して設けられている。下係止部３０６は、支柱部５３Ｂの下端部５７１の湾曲形状に沿った形状を有し、下端部が、左右方向の外側に向かって略水平方向に延出している。
【０１０９】
縦壁部３０４は、規制部本体３０３の左右方向の外側の端部から上方に曲折して略鉛直方向に延設されている。縦壁部３０４の上端部には、第一規制部３０１が設けられている。第一規制部３０１は、縦壁部３０４の上端部から左右方向の内側に向かって曲折して下垂する爪である。第一規制部３０１は、外力が掛かると左右方向に撓むように構成されている。
【０１１０】
補強部材７Ｂは、垂直断面が略Ｕ字型の長尺な部材であり、上側に向かって開口する溝７１が長手方向に全長にわたって形成されている。補強部材７Ｂの左右端部には、一対の係合部８Ｂ，８Ｂが設けられている。係合部８Ｂ，８Ｂは、補強部材７Ｂの長手方向の端部の上部が左右方向に延出し、端部から下方に突出する略Ｌ字形状を有する。係合部８Ｂ，８Ｂには、下方に向かって開口する被支持凹部８１Ｂが形成されている。被支持凹部８１Ｂは、下方に向かって開口し、前後方向から見たときの形状が略矩形の切欠きである。係合部８Ｂ，８Ｂは、支柱部５３Ｂの支持凹部３５Ｂに進入して係合可能な大きさを有する。
【０１１１】
補強部材７Ｂは、パネル４Ｂよりも剛性が高い部材からなる。本実施形態では、補強部材７Ｂは、スチール等の剛性を有する金属製の部材が採用されている。
【０１１２】
パネル４Ｂは、アクリル樹脂製の不透明平板である。パネル４Ｂは、図１２に示すように、切削加工等により中央の肉厚部１４Ｂよりも周縁部の厚さが薄くなるように形成されている。具体的には、パネル４Ｂの左右端部に上下方向に沿って設けられた第１縁部４１Ｂ，４１Ｂと、下端部に水平方向に沿って設けられた第２縁部４２Ｂと、上端部に水平方向に沿って設けられた第３縁部４３Ｂとが設けられている。なお、パネル４Ｂは、均一な厚みのアクリル樹脂で形成されていてもよい。
【０１１３】
図１２に示すように、パネル４Ｂの第１縁部４１Ｂ，４１Ｂに、パネル４Ｂの左右方向（幅方向）に窪む凹部９Ｂが形成されている。凹部９Ｂは、パネル４Ｂの左右方向の外側面４９Ｂを切り欠いて形成されている。
【０１１４】
図１２に示すように、パネル４Ｂの第２縁部４２Ｂの左右方向の両側の下端部には、後述する係合部８Ｂ，８Ｂに当接する切欠部４８Ｂが形成されている。切欠部４８Ｂは、第２縁部４２Ｂの左右方向の両側の下端部が矩形に切り欠いて形成されている。
【０１１５】
パネル４Ｂの第２縁部４２Ｂは、補強部材７Ｂの溝７１に挿入され、第２縁部４２Ｂと補強部材７の溝７１との間は接着剤により固定されている。
【０１１６】
次に、パネル取付構造について説明する。デスク装置２の天板２０の後側の左右方向の各角部に支持体３Ｂ，３Ｂを固定する。デスク装置２に設けられた不図示の固定部に什器固定面部５１３Ｂが当接され、不図示のねじが什器固定面部５１３Ｂのねじ孔５１６Ｂ，５１６Ｂに挿通されて、配線挿通用開口部２４の下方位置においてデスク装置２に固定される。一対の支持体３Ｂ，３Ｂは、互いの係止溝５４Ｂ,５４Ｂが対向するように配置されている。
【０１１７】
支柱部５３Ｂに規制部材３０を取り付ける。図１２に示すように、規制部材３０の縦壁部３０４を、支柱部５３Ｂの係止溝５４Ｂに対向配置させ、規制部材３０を一対の延出部５７，５７間に進入させる。このとき、図１４に示すように、規制部本体３０３の前後方向の両側面に形成されている一対の係合突起３０７，３０７は、左右方向の外側（図１４における右側）より内側（図１４における左側）の方が前後方向への突出量が多くなるように傾斜しているため、それぞれ係合孔５７３，５７３内に円滑に進入可能である。一対の係合突起３０７，３０７が係合孔５７３，５７３と係合すると、図１３に示すように、リブ３０５及び下係止部３０６が延出部５７の下端部５７１に当接する。係合突起３０７の係合孔５７３への係合と、リブ３０５及び下係止部３０６の下端部５７１への当接とにより規制部材３０が係止溝５４Ｂ内に係合される。また、縦壁部３０４が係止溝５４Ｂの底部５４３に近接配置される。第二規制部３０２は、延出部５７の左右方向の内側端部よりも内側に露出している。
【０１１８】
なお、規制部材３０は、什器の設置現場において、支柱部５３Ｂに取り付ける例の他、工場で予め支柱部５３Ｂに取り付けておいてもよい。
【０１１９】
パネル４Ｂを支持体３Ｂ，３Ｂの上端部５３４，５３４より上方に配置して下側に移動させ、パネル４Ｂの左右端部の第１縁部４１Ｂ，４１Ｂを係止溝５４Ｂ，５４Ｂに挿入する。パネル４Ｂに取り付けられている補強部材７Ｂの係合部８Ｂ，８Ｂを支柱部５３Ｂ，５３Ｂの支持凹部３５Ｂ，３５Ｂに挿入する。支持凹部３５Ｂ，３５Ｂは、補強部材７Ｂの係合部８Ｂ，８Ｂを下方から支持する。このとき、補強部材７Ｂの長手方向の下端部が第二規制部３０２に当接して押圧しながら下方に移動する。補強部材７Ｂが最も下側まで移動されて、係合部８Ｂ，８Ｂが支持凹部３５Ｂ，３５Ｂに係合したとき、第二規制部３０２は補強部材７Ｂの長手方向の下端部による押圧が解除されて、元の形状に戻る。この状態では、図１３に示すように、第二規制部３０２の下端は、補強部材７Ｂの溝７１の底面７１１に当接する。この結果、第二規制部３０２により、補強部材７Ｂの上方への移動が規制される。
【０１２０】
これと同時に、パネル４Ｂの第１縁部４１Ｂ，４１Ｂが、規制部材３０の第一規制部３０１に当接して押圧しながら下方に移動する。補強部材７Ｂが最も下側まで移動されて、係合部８Ｂ，８Ｂが支持凹部３５Ｂ，３５Ｂに係合したとき、第一規制部３０１は第１縁部４１Ｂによる押圧が解除されて、元の形状に戻る。この状態では、図１３に示すように、第一規制部３０１の下端は、凹部９Ｂの下部に当接する。この結果、第一規制部３０１により、パネル４Ｂの上方への移動が規制される。
この結果、パネル４Ｂは支持体３Ｂ，３Ｂに安定的に支持され、パネル４Ｂの設置作業が終了する。
【０１２１】
本実施形態に係るパネル取付構造によれば、軽量なパネル４Ｂが一対の支持体３Ｂ，３Ｂの係止溝５４Ｂ，５４Ｂに挿入されて支持されるため、パネル４Ｂを支持体３Ｂに容易に取り付けられる。また、一対の支持体３Ｂ，３Ｂ間に架設された補強部材７Ｂにパネル４Ｂの下端部が係止されるため、軽量なパネル４Ｂが前後方向に撓むことを防ぐことができる。この結果、安定した使用感が得られる軽量なパネル４Ｂを、天板２０上に容易に取り付け可能なパネル取付構造が提供できる。例えば、第二実施形態のように２台のデスク装置２，２間に一つのパネルを設ける場合、一方のデスク装置２側でパネルが押されても、パネルが他方のデスク装置２側に撓んで湾曲することがない。その結果、安定した使用感が得られるデスク装置２が提供できる。
【０１２２】
本実施形態に係るパネル取付構造によれば、支持凹部３５Ｂにより補強部材７Ｂの係合部８Ｂを下方から支持するとともに、第二規制部３０２により補強部材７Ｂの上方への移動が規制される。このため、簡易な構成により、支持体３Ｂの上方から補強部材７Ｂを配置可能であり、且つ、補強部材７Ｂの位置が保持される。
【０１２３】
本実施形態に係るパネル取付構造によれば、補強部材７Ｂの長手方向の両端部に一対の係合部８Ｂ，８Ｂを備えるため、一対の係合部８Ｂ，８Ｂを一対の支持体３Ｂ，３Ｂと係合することにより補強部材７Ｂを一対の支持体３Ｂ，３Ｂに容易に架設できる。
【０１２４】
本実施形態に係るパネル取付構造によれば、一対の支持体３Ｂ，３Ｂに第一規制部３０１を備え、パネル４Ｂに設けられた凹部９Ｂが第一規制部３０１に係止されることにより、係止溝５４Ｂに挿入されたパネル４Ｂの上下方向の移動が規制される。したがって、什器使用時にパネル４Ｂに下方から外力が掛かった場合でも、パネル４Ｂが上方に移動することが防止され、パネル４Ｂが支持体３Ｂ，３Ｂにより安定的に支持される。
【０１２５】
本実施形態では、アクリル樹脂製のパネル４Ｂの例を示したが、第一実施形態及び第二実施形態と同様に不織布からなるパネル４，４Ａを用いてもよい。
【０１２６】
本実施形態では、パネル４Ｂに補強部材７Ｂを固定したものを支持体３Ｂ，３Ｂに係合させる例を示したが、この構成に限定されない。例えば、パネル４Ｂと補強部材７Ｂとが分離した状態で用意し、先に補強部材７Ｂを支持体３Ｂ，３Ｂに架設した後に、パネル４Ｂを支持体３Ｂ，３Ｂ及び補強部材７Ｂに挿入して係止させてもよい。
【０１２７】
これ以外にも、本発明の主旨を逸脱しない限り、上記実施の形態で挙げた構成を取捨選択したり、他の構成に適宜変更したりすることが可能である。
【０１２８】
本発明は、以下の技術思想を含む。
（付記項１）
天板付什器に設けられる天板の離間する端部に立設される一対の支持体と、
前記一対の支持体に支持され、前記天板の上方の空間を区画するパネルと、
を備え、
前記パネルは、
繊維状の基材を含むクッション層を備え、
前記パネルの少なくとも幅方向両端部の下部に前記クッション層が圧縮硬化された一対の補強部を備え、
前記一対の支持体は、
前記一対の支持体同士の対向面に上下方向に沿って形成され、前記支持体の上端部において開口する係止溝が形成されており、
前記パネルは、前記一対の補強部が前記一対の支持体の前記係止溝に挿入されて前記一対の支持体に係止されることを特徴とするパネル取付構造。
（付記項２）
前記パネルの下端部に、前記パネルの幅方向に沿って取り付けられる長尺な補強部材を備える
付記項１に記載のパネル取付構造。
（付記項３）
前記補強部材は、長手方向の両端部に前記一対の支持体の前記係止溝と係合する一対の係合部を備え、
前記一対の係合部が前記係止溝に係合されて前記パネルが前記一対の支持体に支持される付記項２に記載のパネル取付構造。
【符号の説明】
【０１２９】
１，１Ａ，１Ｂ  パネル付什器
２  デスク装置（天板付什器）
３，３Ａ，３Ｂ  支持体
４，４Ａ，４Ｂ  パネル
７，７Ｂ  補強部材
８，８Ｂ  係合部
９  凹部
１０Ａ，１０Ｂ  クッション層
１１  接着剤層（機能層）
２０  天板
２３  配線カバー
２４  配線挿通用開口部
３５  下支持部（係止溝の下端）
４０  補強部
４３  第３補強部（補強部）
４４  第１段部（段部）
４７  第２段部（段部）
５４，５４Ａ，５４Ｂ  係止溝
９１  止めねじ（凸状部材）
５４１  溝下端面（係止溝の下端）
【図１】
2019080897.tif 000003
【図２】
2019080897.tif 000004
【図３】
2019080897.tif 000005
【図４】
2019080897.tif 000006
【図５】
2019080897.tif 000007
【図６】
2019080897.tif 000008
【図７】
2019080897.tif 000009
【図８】
2019080897.tif 000010
【図９】
2019080897.tif 000011
【図１０】
2019080897.tif 000012
【図１１】
2019080897.tif 000013
【図１２】
2019080897.tif 000014
【図１３】
2019080897.tif 000015
【図１４】
2019080897.tif 000016